(57)【特許請求の範囲】
【請求項１】
それぞれが所定の第１のスペース距離だけ離れており、ビームを形成してセクタの中の各ユーザ機器に個別にサービスエリアを提供する複数のアクティブアンテナ素子と、
それぞれが所定の第２のスペース距離だけ離れており、ビームを形成してセクタの中の全てのユーザ機器にサービスエリアを提供する複数のパッシブアンテナ素子と、
前記第１のスペース距離および前記第２のスペース距離の少なくとも一方を変更するように動作可能な素子スペース機構とを含み、前記素子スペース機構が、前記第１のスペース距離および前記第２のスペース距離の前記一方が変更され得るように前記複数のアクティブアンテナ素子および前記複数のパッシブアンテナ素子の一方を保持するように動作可能な細長構造体を含む
アンテナアレイ。
【請求項２】
前記複数のアクティブアンテナ素子および前記複数のパッシブアンテナ素子の一方が、モジュール式アンテナ素子を含み、前記第１のスペース距離および前記第２のスペース距離の対応する一方の所で、それぞれの前記モジュール式アンテナ素子を受けるように動作可能な保持構造体を含む、請求項１に記載のアンテナアレイ。
【請求項３】
前記複数のパッシブアンテナ素子によってサポートされる周波数が、前記複数のアクティブアンテナ素子によってサポートされる周波数に等しく、また、前記第１の距離と前記第２の距離が実質的に等しい、請求項１または２に記載のアンテナアレイ。
【請求項４】
前記複数のパッシブアンテナ素子によってサポートされる周波数が、前記複数のアクティブアンテナ素子によってサポートされる周波数より低く、また、前記第１の距離が前記第２の距離より長い、請求項１または２に記載のアンテナアレイ。
【請求項５】
前記複数のパッシブアンテナ素子によってサポートされる周波数が、前記複数のアクティブアンテナ素子によってサポートされる周波数より高く、また、前記第１の距離が前記第２の距離より短い、請求項１または２に記載のアンテナアレイ。
【請求項６】
それぞれのアクティブアンテナ素子が２つのアンテナを含み、前記２つのアンテナのそれぞれが間隔を空けられており、それぞれのパッシブアンテナが、前記２つのアンテナのそれぞれの間の領域に配置されている、請求項１乃至５のいずれか１項に記載のアンテナアレイ。
【請求項７】
前記２つのアンテナのそれぞれが、直交偏波をもたらすように向きを合わせられており、それぞれのパッシブアンテナが、前記２つのアンテナのそれぞれの前記向きによって画定された前記２つのアンテナのそれぞれの間の領域に配置されている、請求項６に記載のアンテナアレイ。
【請求項８】
前記パッシブアンテナが、前記アクティブアンテナより高く、前記アンテナアレイからまっすぐ立っている、請求項１乃至７のいずれか１項に記載のアンテナアレイ。
【請求項９】
前記複数のパッシブアンテナ素子が、前記アンテナアレイに沿って配置されたパッシブ給電ネットワークと結合している、請求項１乃至８のいずれか１項に記載のアンテナアレイ。
【請求項１０】
ビームを形成してセクタの中の各ユーザ機器に個別にサービスエリアを提供する複数のアクティブアンテナ素子を提供するステップと、
それぞれのアクティブアンテナ素子を所定の第１のスペース距離だけ離すステップと、
ビームを形成してセクタの中の全てのユーザ機器にサービスエリアを提供する複数のパッシブアンテナ素子を提供するステップと、
それぞれのパッシブアンテナ素子を所定の第２のスペース距離だけ間隔を空けるステップと、
前記第１のスペース距離および前記第２のスペース距離の少なくとも一方を変更するように素子スペース機構を提供するステップとを含み、前記素子スペース機構が、前記第１のスペース距離および前記第２のスペース距離の前記一方が変更され得るように前記複数のアクティブアンテナ素子および前記複数のパッシブアンテナ素子の一方を保持するように動作可能な細長構造体を含む、方法。
【発明の詳細な説明】
【技術分野】
【０００１】
本発明は、アンテナアレイおよび方法に関する。
【背景技術】
【０００２】
アンテナアレイが知られている。例えば、多くの移動体通信システムでは、アンテナアレイを用いて複数のユーザ機器と通信するために複数の基地局が配置されており、それらのアンテナアレイは、基地局において一般に支柱の上部（ｍａｓｔ  ｈｅａｄ）に配置されている。それぞれの基地局は、広エリアにわたる通信範囲を提供するために他の基地局と地理的に離されている。それぞれの基地局は、通常、基地局の位置から外側に広がるエリアに設けられた複数の「セクタ」をサポートするように配置されている。それぞれのセクタは、通常、アンテナアレイによってサポートされ、そのため「ｎ個」のセクタ基地局が「ｎ個」のアンテナアレイによってサポートされることになる。それぞれのアンテナアレイは、ユーザ機器に必要な地理的範囲を提供するように設置され、向きを合わせられ、また構成されている。
【０００３】
このようなアンテナアレイは、ユーザ機器と基地局の間の無線通信をサポートするが、それらのアンテナアレイの提供には複数の欠点がある。
【０００４】
したがって、アンテナアレイを改良することが望まれている。
【発明の概要】
【課題を解決するための手段】
【０００５】
第１の態様によれば、それぞれが所定の第１のスペース距離だけ離れている複数のアクティブアンテナ素子と、それぞれが所定の第２のスペース距離だけ離れている複数のパッシブアンテナ素子とを含むアンテナアレイが提供される。
【０００６】
第１の態様では、サービス・プロバイダーがネットワークの高度化、または追加ネットワークの提供を望むと、追加のアンテナアレイを設置する必要があることが既存のアンテナアレイの課題である点が認識されている。特に、パッシブ・ネットワークを現在提供しているネットワーク・プロバイダーがアクティブ・ネットワークの提供を望むと、追加のアクティブ・アンテナ・アレイを設ける必要がある。これは、現在では、パッシブアンテナ素子はパッシブ・アンテナ・アレイに設けられ、アクティブアンテナ素子はアクティブ・アンテナ・アレイに設けられているためである。また、一杯になっている支柱の上部に追加のアンテナアレイを設置することが常に可能であるとは限らない。したがって、アクティブアンテナ素子とパッシブアンテナ素子の両方を含むアンテナアレイが提供される。アクティブアンテナ素子とパッシブアンテナ素子の両方を提供することによって、同一のアンテナアレイにより複数のネットワークをサポートすることができる。また、アクティブアンテナ素子を第１のスペース距離だけ離し、パッシブアンテナ素子を第２のスペース距離だけ離すことを可能にすることによって、これらの異なるネットワークのそれぞれの周波数特性を容易に適応させることができる。このようにして、例えば、パッシブアンテナを利用する既存の第２世代（２Ｇ）実施基地局は、同一のアンテナアレイ内のアクティブアンテナ素子を必要とする第３世代（３Ｇ）実施基地局または第４世代（４Ｇ）実施基地局をサポートするために、容易にアップグレードし得ることが理解できる。同様に、例えば既存の３Ｇアンテナアレイの機能は、他の、多くの場合従来の、ネットワークをサポートするように拡張することができる。デュアル・ネットワーク・アンテナを提供すると、既存の基地局サイトをより簡単に再利用することができるため、基地局の提供がはるかに簡単なものとなることが理解される。また、それらの基地局サイトに設けられる必要があるアンテナアレイの数を著しく低減することができるため、支柱上部の込み合いを減らすことができ、また、デュアル・アンテナ・アレイの重さと風荷重特性が２つのセパレート・アンテナ・アレイのものよりはるかに少ないため、支柱上部の荷重を減らすこともできる。
【０００７】
一実施形態では、アンテナアレイは、第１のスペース距離および第２のスペース距離の少なくとも一方を変更するように動作可能な素子スペース機構を含む。素子スペース機構を提供することによって、必要とされ得る周波数特性の想定され得る全ての組合せに対してあつらえられるアンテナアレイの製造を必要とせずに、サポートされているネットワークの特定の動作周波数特性に適合するように、素子間の距離を変化させ、調整し、または改めることができる。例えば、パッシブアンテナ素子によってサポートされるネットワークの周波数特性は、基地局によって異なる場合がある。それらの異なる周波数特性のそれぞれについて、アレイにおけるパッシブアンテナ素子の異なる間隔が必要とされ、通常、アンテナ間の間隔は、動作周波数の波長の０．９に設定され得る。同様に、アクティブアンテナ素子によってサポートされるネットワークの周波数特性は、基地局によって変わる場合があり、それによって、アレイ内のそれぞれのアクティブアンテナ素子の間の距離について同様の変更が必要とされる。素子スペース機構を提供することによって、基地局に必要とされる特定の実施に応じて、アンテナ素子の間隔が容易に変更され得る。
【０００８】
一実施形態では、素子スペース機構は、第１のスペース距離および第２のスペース距離の一方を変更するように動作可能である。したがって、構造を簡単なものとするために、素子スペース機構は、第１のスペース距離または第２のスペース距離だけが変更され得るように構成することができる。
【０００９】
一実施形態では、素子スペース機構は、第１のスペース距離および第２のスペース距離の一方が変更され得るように、複数のアクティブアンテナ素子および複数のパッシブアンテナ素子の一方を保持するように動作可能な細長構造体を含む。細長構造体は、それらのアンテナ素子の間隔が、必要なスペース距離に調整され得る特に好都合な構成を提供することが理解される。
【００１０】
一実施形態では、複数のアクティブアンテナ素子および複数のパッシブアンテナ素子の一方は、モジュール式アンテナ素子を含み、アンテナアレイは、第１のスペース距離および第２のスペース距離の対応する一方の所で、それぞれの上記モジュール式アンテナ素子を受けるように動作可能な保持構造体を含む。したがって、他のアンテナ素子は、アンテナアレイ内で保持される個別のモジュールとして提供することができ、その保持構造体は、それらのアンテナ素子の必要な間隔を好都合に設ける。このようにして、第１のスペース距離および第２のスペース距離の両方が好都合に設定され得ることがわかる。
【００１１】
一実施形態では、複数のパッシブアンテナ素子によってサポートされる周波数は、複数のアクティブアンテナ素子によってサポートされる周波数に等しく、また、第１の距離と第２の距離は実質的に等しい。したがって、パッシブ・ネットワークとアクティブ・ネットワークの周波数が概ね等しいと、アクティブアンテナ素子間の距離と、パッシブアンテナ素子間の距離も概ね等しくなる。
【００１２】
一実施形態では、複数のパッシブアンテナ素子によってサポートされる周波数は、複数のアクティブアンテナ素子によってサポートされる周波数より低く、また、第１の距離は第２の距離より長い。したがって、パッシブ・ネットワークの周波数がアクティブ・ネットワークの周波数より低いと、パッシブアンテナ素子のそれぞれの間隔は、アクティブアンテナ素子のそれぞれの間隔より長くなる。
【００１３】
一実施形態では、複数のパッシブアンテナ素子によってサポートされる周波数は、複数のアクティブアンテナ素子によってサポートされる周波数より高く、また、第１の距離は第２の距離より短い。したがって、パッシブ・ネットワークの周波数がアクティブ・ネットワークの周波数より高いと、パッシブアンテナ素子のそれぞれの間隔は、アクティブアンテナ素子のそれぞれの間隔より短くなる。
【００１４】
一実施形態では、それぞれのアクティブアンテナ素子は２つのアンテナを含み、その２つのアンテナのそれぞれは間隔を空けられており、それぞれのパッシブアンテナはその２つのアンテナのそれぞれの間の領域に配置されている。したがって、アクティブアンテナ素子が２つのアンテナ素子で作られている場合、これらの２つのアンテナ素子の間のスペースをパッシブアンテナ素子の配置用に好都合に利用することができる。これによって、とりわけ小型のアンテナアレイ構成がもたらされることが理解される。
【００１５】
一実施形態では、２つのアンテナのそれぞれは、直交偏波をもたらすように向きを合わせられており、それぞれのパッシブアンテナは、その向きによって画定された領域に配置されている。したがって、四辺形でもよいアンテナ素子の向きによって、パッシブアンテナ素子が配置され得る、アンテナアレイ上の画定された領域が提供される。これによって、ここでも同様に、とりわけ小型のアンテナアレイ構成がもたらされることが理解される。
【００１６】
一実施形態では、パッシブアンテナは、アクティブアンテナより高く、アンテナアレイからまっすぐ立っている。アクティブアンテナ素子を超えて延びているパッシブアンテナ素子を提供することによって、アンテナアレイ上におけるこれらのアンテナ素子間のいかなる空間的干渉も低減される。これによって、とりわけ小型のアンテナアレイ構成がもたらされることが理解される。
【００１７】
一実施形態では、複数のパッシブアンテナ素子は、アンテナアレイに沿って配置されたパッシブ給電ネットワークと結合している。
【００１８】
第２の態様によれば、複数のアクティブアンテナ素子を提供するステップと、それぞれのアクティブアンテナ素子を所定の第１のスペース距離だけ離すステップと、複数のパッシブアンテナ素子を提供するステップと、それぞれのパッシブアンテナ素子を所定の第２のスペース距離だけ間隔を空けるステップとを含む方法が提供される。
【００１９】
さらなる特定の好ましい態様が、添付の独立請求項および従属請求項に記載されている。従属請求項の特徴は、独立請求項の特徴と適宜組み合わせることができ、特許請求の範囲に明示的に記載されている特徴以外の組合せも可能である。
【００２０】
次に、添付図面を参照して、本発明の実施形態をさらに説明する。
【図面の簡単な説明】
【００２１】
【図１Ａ】実施形態によるアンテナアレイの構成を概略的に示す図である。
【図１Ｂ】実施形態によるアンテナアレイの別の構成を概略的に示す図である。
【図１Ｃ】実施形態によるアンテナアレイのさらに別の構成を概略的に示す図である。
【図２】一実施形態によるモジュール式アクティブアンテナ素子の構成を概略的に示す図である。
【図３】一実施形態による、パッシブアンテナ素子を受けるためのレール構造体を有するアンテナアレイを概略的に示す図である。
【発明を実施するための形態】
【００２２】
図１Ａから図１Ｃは、アクティブアレイにパッシブアレイを組み込んでいる、実施形態によるアンテナアレイの様々な構成を示す。パッシブアレイでは、そのパッシブアレイによってサポートされるセクタの中のユーザ機器にサービスエリアを提供することができる。パッシブアレイからの単一伝送に位相シフトおよび／または振幅シフトをかけて、セクタの中の全てのユーザ機器に提供されるサービスエリアを形成するビームを作ることができる。アクティブアレイでも、そのアクティブアレイによってサポートされるセクタの中のユーザ機器にサービスエリアを提供することができる。しかし、パッシブアレイからの全ての伝送に位相シフトおよび／または振幅シフトをかけて、そのセクタの中のそれぞれのユーザ機器に別々に提供されるサービスエリアを形成するビームを作ることができ、このような構成は、例えばＷＣＤＭＡなどのいくつかのシステムで特に不可欠な対策となる、ネットワークにおける伝送の信号対雑音比（ＳＮＲ）および信号対混信比を著しく改善させる。単一のアンテナアレイ内にアクティブアレイとパッシブアレイを組み合わせることによって、パッシブアンテナ構成の２Ｇ基地局が既にある場合には特に、３Ｇおよび４Ｇの実施に向けて新たに登場しているアクティブ・アンテナ・ソリューションの同じ場所への配置を可能とすることによる対費用効果の高い基地局の構成および展開がもたらされる。パッシブアンテナ素子とアクティブアンテナ素子を同じ場所に配置することによって、アクティブアレイにパッシブアレイが組み込まれる。このことによって、既存の任意のパッシブ２Ｇアレイをデュアルのアクティブ／パッシブ実装品と取り替えることが可能になり、ケーブルから（もしあれば）リモート・ラジオ・ヘッド（ｒｅｍｏｔｅ  ｒａｄｉｏ  ｈｅａｄ）までの２Ｇ基地局設備の残り部分、ならびに任意のサポート基地局キャビネットは、所定位置のままで既存のネットワークをサポートすることができる。３Ｇまたは４Ｇのネットワークが必要となる場合は、そのネットワークに必要な任意のサポート基地局キャビネットと共に、アクティブ・アンテナ・アレイ用の追加の配線が加わるだけである。このことによって、既存の基地局サイトを再利用することが可能になるが、それは、現在の支柱上部がすっかり一杯になって、さらなる１つのアンテナアレイさえ支持することができない場合でも、既存のアンテナアレイを単に取り除き、デュアルのアクティブ／パッシブ実装品と取り替えることができるためである。
【００２３】
図１Ａから図１Ｃに示されている構成では、それぞれのアクティブアンテナ素子２０は、ツインアンテナ３０、４０の構成を含み、このうち一方のアンテナは、＋４５°偏波トランスミッタおよび−４５°偏波レシーバを実現し、第２のアンテナは、−４５°偏波トランスミッタおよび＋４５°偏波レシーバを実現している。それぞれのアクティブアンテナ素子２０は、地上に配置されたサポート基地局キャビネット（図示せず）からデータ・電力結合部２５を介して供給される別々のデジタル信号によってドライブされる。それぞれのデジタル信号は、アクティブアンテナ素子２０によってデコードされ、増幅され、フィルタにかけられて送信される。これらのアクティブアンテナ素子２０のいくつかが、全体としてのアンテナアレイ１０Ａ〜１０Ｃを構築するように設けられている。図示されている例では、それぞれのアンテナアレイ１０Ａ〜１０Ｃには、８つのアクティブアンテナ素子２０が設けられている。しかし、アクティブアンテナ素子２０は、多かれ少なかれ、必要な電力出力および利得を与える適切な大きさのアンテナアレイを作るために設けることができる点が理解される。
【００２４】
複数のパッシブアンテナ５０Ａ〜５０Ｃもまた、それぞれのアンテナアレイ１０Ａ〜１０Ｃに配置されている。これらのパッシブアンテナ５０Ａ〜５０Ｃは、それぞれのアクティブアンテナ３０、４０の間に画定された領域に全体的に配置されている。さらに、パッシブアンテナがアクティブアンテナ素子３０、４０より高くアンテナアレイの表面から延びているために（すなわち、パッシブアンテナは、本紙の外側の方向にアンテナアレイからまっすぐに立っている）、それぞれのパッシブアンテナ５０Ａ〜５０Ｃは、アクティブアンテナ３０、４０から空間的に離れている。それぞれのパッシブアンテナ５０Ａ〜５０Ｃは、高周波（ＲＦ）給電部５５を介して結合しており、高周波給電部５５は、入力信号に適切な振幅シフトおよび／または位相シフトを与えるパッシブＲＦ給電ネットワーク６０Ａ〜６０Ｃに結合している。このパッシブＲＦ給電ネットワーク６０Ａ〜６０Ｃは、地上に配置されたサポート基地局キャビネット（図示せず）からＲＦ信号を受け取る。
【００２５】
図１Ａから図１Ｃに示されている構成では、アクティブアンテナ素子２０どうしの間の距離ＤＡは、それぞれの例について同一である。しかし、この距離ＤＡは、アクティブアンテナ素子２０の伝送周波数に応じて、実施によって異なる場合がある点が理解される。一般に、この距離ＤＡは、動作周波数の波長のほぼ０．９になるように設定される。
【００２６】
図１Ａに示されているように、パッシブアンテナ５０Ａは、アクティブアンテナ素子２０と概ね同じ周波数帯で動作しており（例えば、アクティブアンテナ素子２０がＵＭＴＳ２１００で動作し、パッシブアンテナ５０ＡがＧＳＭ１８００で動作している場合がある）、隣接するアクティブアンテナ３０、４０どうしの間のスペースは、パッシブアンテナ５０Ａによって占有されており、パッシブアンテナ５０Ａどうしの間の距離ＤＰＡは、距離ＤＡに概ね等しい。
【００２７】
図１Ｂでは、パッシブアンテナ５０Ｂは、アクティブアンテナ３０、４０より低い周波数で動作する（例えば、アクティブアンテナ３０、４０がＵＭＴＳ２１００で動作し、パッシブアンテナ５０ＢがＧＳＭ９００で動作している場合がある）。この構成では、アクティブアンテナ３０、４０の１つおきの（または、それに満たない）スペースが、パッシブアンテナ５０Ｂによって占有される。したがって、パッシブアンテナ５０Ｂどうしの間の距離ＤＰＢは、距離ＤＡより長い。
【００２８】
図１Ｃでは、パッシブアンテナ５０Ｃは、アクティブアンテナ３０、４０より高い周波数で動作する（例えば、アクティブアンテナ３０、４０がＬＴＥ９００で動作し、パッシブアンテナ５０ＣがＧＳＭ１８００またはＵＭＴＳ２１００で動作する場合がある）。この構成では、アクティブアンテナ３０、４０の間に２つ以上のパッシブアンテナ５０Ｃが配置される。したがって、パッシブアンテナ５０Ｃどうしの間の距離ＤＰＣは、距離ＤＡより短い。
【００２９】
パッシブアンテナ５０Ａ〜５０Ｃ用の給電ネットワーク６０Ａ〜６０Ｃは、アクティブアンテナ素子２０の後ろか、またはアンテナアレイの側面に配置される。給電ネットワーク６０Ａ〜６０Ｃからの信号は、同軸ケーブル５５を用いてアンテナ素子５０Ａ〜５０Ｃに供給される。
【００３０】
図２は、アクティブアンテナ素子２０の例示的構成をより詳細に示す。理解されるように、これらのアクティブアンテナ素子２０は、適切な特性のアンテナアレイを形成するように一緒に配置することができるモジュールとして設けられている。モジュール式アクティブアンテナ素子２０を提供することにより、設計経路の帯域分離特性によってアンテナアレイのダイプレクサ（ｄｉｐｌｅｘｅｒ）の仕様が軽減され、同時に、アクティブアンテナ３０、４０の間のスペース７０に他のアンテナを配置する機会が与えられる。アクティブアンテナ３０、４０の他の構成も可能であり、本明細書で説明した原理が同様に当てはまることが理解される。アクティブアンテナ３０、４０の間のスペース７０を利用し、このスペースにパッシブ放射器を配置することによって、小型のデュアル・アンテナ・アレイを実現するためにパッシブアレイがアクティブ構造体に組み込まれる。
【００３１】
アクティブおよびパッシブ構造体は、同じ周波数帯で動作することができ、また異なる帯域で動作することができる。所与の例では、一体化が特に簡単になるように、アクティブアンテナ素子につき２つのアクティブアンテナ３０、４０が提供されているが、他の構成も可能である。
【００３２】
これらのモジュール式アクティブアンテナ素子２０を用いることによって、それらの素子２０の間隔を所定の距離だけ単に空けることにより、それぞれの素子２０どうしの距離を変更することも可能である。これにより、アクティブアンテナ素子２０によってサポートされる周波数帯域を変更するのに好都合な手法が実現される点が理解される。
【００３３】
図３は、パッシブアンテナ５０Ａ〜５０Ｃどうしの間隔を任意の特定の所定距離だけ空けることを可能にする例示的構成を示す。パッシブアンテナ５０Ａ〜５０Ｃのそれぞれをアクティブアンテナ素子２０の面に固定することが可能である点が理解されるが、このことは特に好都合とはなり得ず、アンテナアレイの後々の再構成を制約することがある点が理解される。そのため、それぞれのアクティブアンテナ３０、４０の間に、アンテナアレイの縦に沿って延在するレール８０が設けられている。それによって、パッシブアンテナ５０Ａ〜５０Ｃは、このレール８０に配置され、意図されているパッシブ・ネットワークの動作周波数に対して必要な分離距離の所に、レール８０に沿って位置決めされる。これによって、必要な実施に応じて、パッシブ・ネットワークの周波数が容易に設定または変更され得る。パッシブ素子５０Ａ〜５０Ｃが所定の位置に一度おかれると、これらのパッシブ素子は、ここでも同様に、パッシブＲＦ給電のネットワーク６０Ａ〜６０Ｃ、および結合している同軸ケーブル５５を介して給電される。
【００３４】
したがって、実施形態によって、シングル・ソリューションとしてのアクティブ・アンテナ・アレイだけでなく、従来製品としてのアクティブ・アンテナ・アレイの提供が可能になることが理解されるが、それは、向上したサービスをさらに提供しつつ既存のインフラ（例えば、２ＧのＧＳＭ基地局）を同じサイトで使い続ける場合があるためである。既存の２Ｇのパッシブ・アンテナ・アレイを、２Ｇのパッシブ・アンテナ・アレイのみならず、３Ｇまたは４Ｇのアクティブ・アンテナ・アレイを含む新たなアクティブ／パッシブ一体化アンテナと取り替えることによって、追加の別のアンテナアレイを設置せずにシステムをアップグレードすることができ、同時にオペレータは、いかなる現行の稼働機器も維持することができる。さらに、アンテナの込み合いのいかなる発生も、ネットワークのアップグレードを通じて著しく低減させることができる。
【００３５】
本明細書におけるいかなるブロック図も、本発明の原理を具現化する例示的回路の概念図であることが、当業者によって理解されるはずである。
【００３６】
説明および図面は、本発明の原理を例示するに過ぎない。したがって、本明細書において明示的に説明されておらず、また図示されていなくても、当業者は、本発明の原理を具現化する、本発明の主旨および範囲に含まれている様々な構成を考案することができる点が理解される。さらに、本明細書に挙げられた全ての例は、主として、本発明の原理と、当技術の推進に向けて本発明者によってもたらされた概念とを理解する際に読者を支援するための教示目的に過ぎないことが明確に意図されており、そのように具体的に挙げられた例および条件に制約されずに解釈されるべきである。それに加えて、本発明の原理、態様、および実施形態、ならびに本発明の具体例を挙げている本明細書における全ての記述は、それらの等価物を包含することが意図されている。
【図１Ａ】
0005384731.tif 000002
【図１Ｂ】
0005384731.tif 000003
【図１Ｃ】
0005384731.tif 000004
【図２】
0005384731.tif 000005
【図３】
0005384731.tif 000006